(57)【要約】      （修正有）【課題】ペットボトルなどを収容することができる小袋を、不使用時には邪魔にならないように設けた小袋付きのかばんを提供する。【解決手段】かばん１の本体２表面にスリムな収納部４を設け、その収納部に伸縮性の小袋３を取り出し自在に収容した小袋付きのかばん１。収納部４は、かばんの表地８と、その表地の上に周縁を縫合した矩形状の外皮材９とで形成する。外皮材９の中央部の長手方向にスライドファスナーで開閉するスリット口を形成し、メッシュ生地の両側縁をスリット口の両側に取り付けて小袋３とする。小袋３の口部の上縁に張性を有するゴム帯２３を取り付け、そのゴム帯の両端をスリット口の両側の内縁に止着する。【選択図】図１
0003137493.tif 000002
【実用新案登録請求の範囲】
【請求項１】
かばんの表面に設けられたスリムな収納部のスリット口に、当該収納部に取り出し自在に収納される伸縮性の小袋を、一体に取り付けている小袋付きのかばん。
【請求項２】
前記かばんの表面が硬質で、前記収納部が偏平状である請求項１記載の小袋付きのかばん。
【請求項３】
前記収納部が、かばんの表地と、その表地の上に周縁を縫合した矩形状の外皮材との間に形成されている請求項１記載の小袋付きのかばん。
【請求項４】
前記外皮材の幅方向の中央部が突出して表地との間に空隙部が形成され、同中央部の両側が表地に密着している請求項３記載の小袋付きのかばん。
【請求項５】
前記小袋がメッシュ生地によって形成されている請求項１記載の小袋付きのかばん。
【請求項６】
前記小袋が、一枚の矩形の生地の両側縁を前記スリット口の両側に取り付け、同生地の下端縁を縮小状態で前記スリット口の下端に取り付けて略三角錘状に形成されている請求項１記載の小袋付きのかばん。
【請求項７】
前記小袋の口部の上縁に張性を有する帯状ゴムを取り付け、そのゴムの両端を前記スリット口の両側に固定している請求項５または６記載の小袋付きのかばん。
【請求項８】
前記スリット口に、当該スリット口の端部のうち、前記小袋の口部側の端部をその閉口の終端位置とするスライドファスナーを設けている請求項１記載の小袋付きのかばん。
【考案の詳細な説明】
【技術分野】
【０００１】
本考案は、かばん本体の外側に小袋を設けた小袋付きのかばんに関する。
【背景技術】
【０００２】
【特許文献１】特開２０００−７９０１９号公報
【特許文献２】特開２００２−９５５１３号公報
【０００３】
特許文献１には、小袋がかばんの側面にほぼ偏平状態に形成されているものが開示されている。これは、小袋がかばんと一体になっているので、小袋に入れたものを紛失することがない。
特許文献２には、小袋がかばんに脱着自在になっており、小袋を使用しない時は、かばんより取り外せることが開示されている。これは、小袋を使用しないとき、かばんの表面に出っ張らないので、邪魔にならない。
その他の小袋付きのかばんとしては、小袋を取り出し自在に収容している収納部をかばん本体の内部あるいは外部に設けているものがある。これは、小袋を使用しないとき、収納部に収容しておくことができるので、小袋が出っ張ることはなく、また紛失することもない。
特許文献１の小袋は、小袋が使用しないときでも、かばんより外出しているので、損傷し易い。また、特許文献２は、紛失し易い。また、その他の前述の従来の小袋付きのかばんは、特許文献１および２の問題点が改良されているが、収納部を本体内部に取り付けているものは、本体の収容量に影響がでてきたり、小袋が本体内部の収容物によって圧迫されて、収納部からの取り出しが困難になったりするなど、問題がある。収納部を本体外部、つまり表面に取り付けているものは、収納部がかばん表面より突出するため、使用しているときに邪魔になるなどの問題がある。
【考案の開示】
【考案が解決しようとする課題】
【０００４】
本考案は、かばん表面にそれ相当の容量の小袋を設置すると共に、これを収容するための収納部を邪魔にならないように設置している小袋付きのかばんを提供することを技術課題とする。
【課題を解決するための手段】
【０００５】
本考案の小袋付きのかばん（請求項１）は、かばんの表面に設けられたスリムな収納部のスリット口に、当該収納部に取り出し自在に収納される伸縮性の小袋を一体に取り付けていることを特徴としている。
【０００６】
前記かばんの表面は硬質で、前記収納部が偏平状であるのが好ましい（請求項２）。
【０００７】
前記収納部は、かばんの表地と、その表地の上に周縁を縫合した矩形状の外皮材との間に形成されているのが好ましい（請求項３）。
【０００８】
前記収納部は、前記外皮材の幅方向における中央部が突出して表地との間に空隙部が形成され、同中央部の両側が表地に密着しているのが好ましい（請求項４）。
【０００９】
前記小袋は、メッシュ生地によって形成されているのが一層、好ましい（請求項５）。
【００１０】
前記小袋は、一枚の矩形の生地の両側縁を前記スリット口の両側に取り付け、同生地の下端縁を縮小状態で前記スリット口の下端に取り付けて略三角錘状に形成されているのが好ましい（請求項６）。
【００１１】
前記小袋は、口部の上縁に張性を有する帯状ゴムを取り付け、そのゴムの両端をスリット口の両側に固定しているのが特に好ましい（請求項７）。
【００１２】
前記スリット口に、当該スリット口の端部のうち、前記小袋の口部側の端部をその閉口の終端位置とするスライドファスナーを設けているのが特に好ましい（請求項８）。
【考案の効果】
【００１３】
本考案の小袋付きのかばん（請求項１）は、小袋は伸縮性を有しているので、伸作用によって、それ相当の収容物を収容することが可能になっている。つまりそれ相当の収容量の大型の袋に変形可能になっている。また、収容物を収容していないときは、縮作用によって原状の小型袋に変形するので、スリムな収納部に収納させることができる。また、小袋はスリット口に一体的に設けられているので、その付け根部はほぼ一直線になっている。つまり、この小袋はスリムな収納部のスリット口を介してかばん表面上に設けられているので、かばん表面が狭小の場所においても設けることができる。また収納部はスリムなので、邪魔にならない。
【００１４】
前記かばんの表面が硬質で、前記収納部が偏平状である場合（請求項２）、前記収納部及びスリット口はかばん表面に近接しているので、かばん表面と一体感がある。したがってこのスリット口に取り付けられた小袋は安定感がある。
【００１５】
前記収納部が、かばんの表地と、その表地の上に周縁を縫合した矩形状の外皮材との間に形成されている場合(請求項３)、小袋を嵩低の状態で収容できる。また、収納部は邪魔にならない。
【００１６】
前記収納部は、前記外皮材の幅方向における中央部が突出して表地との間に空隙部を形成し、同中央部の両側が表地に密着している場合（請求項４）、収納部は中央部だけが突出しているので、全体的な嵩は低い。したがって、邪魔にならない。また、密着部分は、空隙部が満杯になると、外皮材がかばんの表地から離れて、新たな空隙を形成可能にしている。したがって収納部の外形及び大きさは収納物の量によって、弾力的に対応できる。また、収納部は満杯状態においても、表面が緩やかに湾曲し、また、いずれの場合もほぼ扁平状に形成されるので、邪魔にならない。
【００１７】
前記小袋がメッシュ生地によって形成されている場合（請求項５）、小袋の嵩は一層、低くなる。したがって、収納部を一層、スリムに形成することができる。また、全体的に嵩を低くすることができる。
【００１８】
前記小袋が、一枚の矩形の生地の両側縁を前記スリット口の両側に取り付け、同生地の下端縁を縮小状態で前記スリット口の下端に取り付けて、略三角錐状に形成されている場合（請求項５）、小袋の下部の付け根部はメッシュ生地が寄せ集められているので、伸作用が鈍く、また頑丈になっている。したがって小袋のその付け根部は収容物の重量で簡単に損傷するのが防止される。ひいては小袋を長持ちさせることができる。
【００１９】
前記小袋の口部の上縁に張性を有する帯状ゴムを取り付け、そのゴムの両端を前記スリット口の両側に固定している場合（請求項６）、収納部から取り出された小袋の口部は外向きに突き出ると共に開口する。したがって、収納物を小袋に収納させ易い。
【００２０】
前記スリット口に、当該スリット口の端部のうち、前記小袋の口部側の端部をその閉口の終端位置とするスライドファスナーを設けている場合（請求項７）、スリット口の開口量はスライドファスナーの開閉量によって決まる。したがって収納部より取り出された小袋はスライドファスナーの開閉量によって、所望の丈あるいは大きさに形成することができる。
【考案を実施するための最良の形態】
【００２１】
図１は本考案の小袋付きのかばんの実施形態を示す一部切り欠き背面斜視図、図２は一部切り欠き要部正面図、図３は図２のＡ―Ａ線断面図、図４は小袋を収納部より取り出した状態の側面図、図５は小袋の使用状態を示す平面図である。
【００２２】
図１の小袋付きのかばんは、キャリーケース（以下、ケースと称す。）１とこのケースの本体２の表面側に設けられている小袋３付きの収納部４とからなっている。以下に詳述する。
【００２３】
図１に示すケース１は本体２の表面が硬質に形成されている。表地はナイロンの織物生地、合成樹脂シートなどを使用している。本体２の天面及び一方の側面には提げ手５、５が設けられ、他方の側面には数個の大型の底鋲（図示なし）が設けられている。天面と背面の境界部にはキャリー用の伸縮自在の引き手６が設けられている。また、底面には数個のキャスターが設けられ（図示なし）、また、本体２の前後面にはそれぞれ大きい副収納部７が設けられている。特に前面の副収納部７は三段構成になっているので、ケース１の厚味は相当、分厚くなっている。提げ手５が設けられている側面の表地８は長手の三枚接ぎの生地８ａ、８ｂ、８ｃを縫合して形成されているので、一枚いち枚の接ぎ地は幅狭になっている。提げ手５はそのうちの中間の接ぎ地８ｃに設けられている。この提げ手５は上下部が反対方向に引っ張られた状態で本体に止着されているので、不使用時は平坦になる。提げ手５は上下方向の引っ張り力に抗して外向きに引っ張り出すことによって、使用可能となる。
【００２４】
収納部４には、図２乃至図５に示すように、小袋３が一体的に取り付けられている。収納部４は、図１ないし図３に示すように、本体２の接ぎ地８ａに長方形状の外被材９の周縁を縫合して形成されている。この外被材は、図２及び図３に示すように柔軟性と張り性を有する薄肉の一枚生地をいわゆるささまち状に形成してなっている。つまり、左右の外側部１０とこの外側部の間の内側部１３との境界部を中表に折り畳み、その縁を縫合して、外側部１０を反転させている。しかして、外皮材９は収納部４の幅方向における中央部である内側部１３は膨らんでいる。内側部１３の中央には、長手方向に正面から見て、下方が開いたコ字状に切り欠いた切り欠き部１１が形成されている。この切り欠き部１１にはスライドファスナー１２が設けられている。
【００２５】
図２及び図３に示すように、この外皮材９の周縁を接ぎ地８ａに縫合することによって、内側部１３は緩やかに、かつ平坦状に突出する共に、その内部には空隙部１５が形成される。また、外側部１０は接ぎ地８ａに対し分離可能に密着する。つまり、収納部４の長手方向の中央部には空隙部１５が形成され、その両側には密着部１６が形成される。したがって、収納部４は、全体的には嵩低であり、かつ、ほぼ偏平状になっているので、邪魔にならない。また、収納部４は、空隙部１５が収容物などによって内側から押圧されると、密着部１６は外側部１０と接ぎ地８ａが分離するので、その許容量は柔軟に対応できる。したがって、空隙部１５に空隙部の許容量を超える収容物を収容することもできる。この場合においても、収納部４は、全体的に緩やかな凸面状を形成するので、ほとんど邪魔にならない。
収納部４は図２に示すように、スライドファスナー１２の開口状態において、スリット口１７を形成する。また、このスリット口はスライドファスナー１２によって閉口可能になっている。
【００２６】
小袋３は、図２および図３に示すように、収納部４に取り出し可能に収容されている。この小袋３は伸縮性及び柔軟性に富むナイロン製の矩形の細かいメッシュ生地２１の両側を前述の切り欠き部１１の両側の内縁に縫合し、また、図２に示すように、同下端を幅狭に折畳んで同切り欠き部１１の下端に縫合して形成されている。さらに詳しくはメッシュ生地２１の両側縁は、図３に示すように、スライドファスナー１２の雌雄片１２ａ、１２ｂの金属または合成樹脂製結合部材を止着している生地と共に、切り欠き部１１の両側に縫合し、また、下端縁は図２に示すように内側部１３の幅とほぼ同じくらい、あるいはそれより幅狭に折畳んで、内側部１３と共に接ぎ地８ａに縫合している。なお、メッシュ生地２１の下端縁は折畳みに変えて、ギャザー状にしてもよい。図２の２２は外皮材９の上下縁を接ぎ地８ａに縫合するための押さえ片である。
【００２７】
小袋３の口部１８は、図４ないし図５に示すように、幅が二つ折りの強力な張り性を有するゴム帯２３が設けられ、そのゴム帯はメッシュ生地２１の上縁を挟み込んで縫合している。そのため小袋３の口部１８は張り力を有し、しかも自然な状態から引伸ばすと締め付け力が生ずる。そのゴム帯２３は両側がスリット口１７の内側面に止着しているので、小袋３を収納部４より取り出したとき、図４に示すように、その口部１８は外側に突き出る。また、口部１８はほぼ、環状に形成されるので、開口状態になる。しかして、小袋は３概略、三角錐状に形成されるので、小袋への物の収納が簡単、かつ迅速に行なえる。
【００２８】
小袋３は、図５に示すように、スライドファスナー１２の開状態の左右片１２ａ、１２ｂの隙間に位置するので、小袋３及びその中に収容された物はその左右片１２ａ、１２ｂおよび外皮材９を介してかばんの本体２によって支持される。例えば図４及び図５に示すように、収納物Ａが飲料水などを収容しているペットボトルなど筒型の場合、小袋３に収容された収納物Ａは、胴部がゴム帯２３によって本体２側へ引き寄せられ、胴部全体が左右片１２ａ、１２ｂによって支持されるので、安定した状態で収納される。特に収納物が重量物の場合は、揺れ防止になる。また、小袋３の下方は矢印方向の円周方向に引き伸ばされるが、小袋３の付け根部は収縮しメッシュ生地が重なり合って、頑丈になっているので、簡単に破損するのを防止している。
【００２９】
また、小袋３はスライドファスナー１２を開閉作用するスライダー２５の位置を図４に示す破線の位置に上昇させることによって、収納部４より外出している部分の長さが二点鎖線で示すように短くなる。このように、小袋３の外出部分の下端位置はスライダー２５を昇降させることによって、自由に設定することができるので、小袋３の収納できる丈または大きさを自由に変えることができる。なお、スライダー２５にストッパーを設けておくのが好ましい。この場合、スライダーは停止位置でロックされるので、下降が防止される。また、小袋３は設定した収納量が保持される。
【００３０】
小袋３を収納部４に収納する場合、小袋３は下端が収縮しており、また、柔軟性及び伸縮性に富んでいるので、上方に引っ張れば、全体が細く引き伸ばされて嵩低になる。したがって、細身の小袋はスリット口１７に簡単に収納させることができる。また、スライドファスナー１２に引っ掛かるのが防止される。
【００３１】
明らかなように、前述の収納部はスリムで嵩低に形成されているので、これと一体になっている小袋は狭小のスペースに設置することができる。また、かばんの側面など狭小スペースにそれ相当の許容量の袋を安定した状態で設置することができる。かばんの側面に設ける場合は、かばんの副収納部の表面に形成しないで済んでいるので、かばんは分厚くならない。また、本体の内側に収納部を形成しなくても済むので、小袋の出し入れおよび使用等々について利便性があり、また使い勝手がよい。さらに、収納部は中央が空隙部を形成しているだけで、全体的には緩やかな凸面になっているので、邪魔にならない。また、収納部は密着部が弾力的に空隙部と一体となって大きい空隙部を形成することを可能にしているので、収容量の多少に対応できるようになっている。この収納部は、専ら小袋を収納するためのものではあるが、小袋と共に他の収納物を収容することもできる。
【００３２】
なお、前記の収納部は外皮材の中心にスリット口を形成しているが、外皮材の上下端縁および一方の側縁をケースの表面に縫合して、他方の側縁とかばんの表面の間にスリット口を形成してもよい。また、この小袋付きの収納部は図１に示すケースの天面また、側面の他の狭小スペース（二点鎖線で図示）に設けてもよい。
【００３３】
その他の実施形態としては、小袋が、筒状に形成されたメッシュ生地の下端の周縁を前記の実施形態の収納部の切り欠き部、またスリット口の周囲に取り付けて形成することもできる。口部には前記実施形態のようにゴム帯を設けても良いし、巾着袋のように通し紐を設けてもよい。これらの実施形態の収納部は、例えば図１の天面あるいは側面の狭小スペース（二点鎖線で図示）に取り付けるのが好ましい。この場合、小袋の口部は天面あるいは側面の上方に位置するので、物の出し入れが簡単になる。
【００３４】
さらにその他の実施形態としては、前記キャリケースに代えてランドセルの側面に収納部を設けているものがある。ランドセルの側面は偏平であり、かつ硬質なので、使用状態の小袋は収納物を安定した状態で収納することができる。
【００３５】
前述の実施形態で挙げた小袋付きの収納部は、いずれの場合も前記かばんに設置するに限らない。例えば、通学用の背嚢式かばんやビジネスバッグの狭小スペースに設けても良い。また、かばん表面は硬質であるのが好ましいが、軟質であっても使用することはできる。
【図面の簡単な説明】
【００３６】
【図１】図１は、本考案の小袋付きかばんの実施形態を示す背面斜視図である。
【図２】図２は、図１の一部切り欠きの要部拡大図ある。
【図３】図３は、図２のＡ―Ａ線断面図である。
【図４】図４は、小袋の側面図である。
【図５】図５は、小袋の使用状態を示す要部平面図である。
【符号の説明】
【００３７】
１  キャリーケース
２  本体
３  小袋
４  収納部
５  提げ手
６  キャリー用提げ手
７  副収納部
８  表地
８ａ  接ぎ地
８ｂ  接ぎ地
８ｃ  接ぎ地
９  外皮材
１０  外側片
１１  切り欠き部
１２  スライドファスナー
１３  内側部  
１４  突出部
１５  空隙部
１７  スリット口
１８  口部
２１  メッシュ生地
２２  押さえ片
２３  ゴム帯
２５  スライダー
【図１】
0003137493.tif 000003
【図２】
0003137493.tif 000004
【図３】
0003137493.tif 000005
【図４】
0003137493.tif 000006
【図５】
0003137493.tif 000007